(57)【要約】【課題】腐食しにくく、展開時に縦竿と横竿とを容易に固定でき、非展開時には両者を一体とすることができ、さらに構造が簡単で製造が容易な折りたたみ式旗竿を提供すること。【解決手段】縦竿と横竿とからなり、前記縦竿の上端部に設けられた横竿固定部に前記横竿を固定して展開することにより用いられる折りたたみ式旗竿であって、前記横竿固定部および前記横竿が繊維強化プラスチックからなり、前記横竿の展開時に、前記横竿固定部と前記横竿とのかしめ力によって前記横竿が固定されるもの。【選択図】図１４
0003121099.tif 000002
【実用新案登録請求の範囲】
【請求項１】
縦竿と横竿とからなり、前記縦竿の上端部に設けられた横竿固定部に前記横竿を固定して展開することにより用いられる折りたたみ式旗竿であって、
前記横竿固定部および前記横竿が繊維強化プラスチックからなり、前記横竿の展開時に、前記横竿固定部と前記横竿との間のかしめ力によって前記横竿が固定されることを特徴とする折りたたみ式旗竿。
【請求項２】
縦竿と横竿とからなり、前記縦竿の上端部に設けられた横竿固定部に前記横竿を固定して展開することにより用いられる折りたたみ式旗竿であって、
前記横竿固定部および前記横竿は繊維強化プラスチックからなり、前記横竿は軸部と、前記軸部の一方の端部に設けられ、前記軸部よりも径大なかしめ用端部とを有し、前記横竿固定部は水平方向の貫通孔を有し、前記水平方向の貫通孔の一方の端部側が前記かしめ用端部と略同径またはそれよりも径大なかしめ用孔部となっており、他方の端部側が前記軸部と略同径またはそれよりも径大で、その上面側が半開されたかしめ用半開孔部となっており、前記横竿の展開時に、前記かしめ用孔部に前記かしめ用端部が挿入され、前記かしめ用半開孔部に前記軸部が配置され、それらの間のかしめ力によって前記横竿が固定されることを特徴とする折りたたみ式旗竿。
【請求項３】
前記横竿固定部は前記かしめ用端部と略同径またはそれよりも径大な鉛直方向の貫通孔を有し、前記鉛直方向の貫通孔に前記かしめ用端部および前記軸部が挿入されることにより、前記縦竿内に前記横竿が収納されることを特徴とする請求項２記載の折りたたみ式旗竿。
【請求項４】
前記横竿は前記軸部の他方の端部に前記かしめ用端部よりも径大な収納時固定用端部を有し、前記横竿固定部の鉛直方向の貫通孔は前記収納時固定用端部よりも径小であることを特徴とする請求項３記載の折りたたみ式旗竿。
【請求項５】
前記水平方向の貫通孔と前記鉛直方向の貫通孔とは前記横竿固定部内で略直交していることを特徴とする請求項４記載の折りたたみ式旗竿。
【請求項６】
前記横竿はガラス繊維と熱硬化性樹脂とからなるものであって、一方向押し出し成形により製造されたものであることを特徴とする請求項１乃至５のいずれか１項記載の折りたたみ式旗竿。
【考案の詳細な説明】
【技術分野】
【０００１】
本考案は折りたたみ式旗竿に係り、特に展開時に縦竿の上端部に横竿を固定して用いる折りたたみ式旗竿に関する。
【背景技術】
【０００２】
従来、旗竿は縦竿と横竿とから構成され、縦竿としては竹、プラスチック製パイプ、繊維強化プラスチック（ＦＲＰ）製パイプ、金属製パイプ、木製パイプ等が用いられ、横竿としてはプラスチック製棒、繊維強化プラスチック（ＦＲＰ）製棒、金属製棒等が用いられている。これらの中でも強度面等から、折りたたみ式旗竿については金属からなるものが多用されている。
【０００３】
図１５は、従来の旗竿１００を示した分解図である。この旗竿１００は竹からなる縦竿１０１と、一方の端部が直角状に折り曲げられた金属製の横竿１０２とからなるものである。このような旗竿１００に取り付けられる旗１０３は例えば長方形状のものであり、その上端部および側端部の一方には複数の取り付け部材１０３ａが設けられている。このような縦竿１００は、図１６に示すように、縦竿１０１の上部の孔部に横竿１０２の端部に設けられた直角状の折り曲げ部分を挿入して固定し、さらに旗１０３を取り付け部材１０３ａによって取り付けることにより使用される。
【０００４】
また、図１７は、従来の他の旗竿１１０を示した分解図である。この旗竿１１０は、縦竿１１１が縦竿本体部１１２と、その上端部に設けられ、水平方向の貫通孔を有する横竿固定部１１３とからなり、横竿１１４が棒状のものである。このような旗竿１１０は、図１８に示すように、横竿固定部１１３の水平方向の貫通孔に横竿１１４の一端部を挿入して固定し、旗１１５を取り付けて使用される。このような旗竿１１０における横竿固定部１１３と横竿１１４との固定は、例えば接着や溶着の他、横竿固定部１１３に設けられたネジ等により横竿固定部１１３内の横竿１１４を押圧することにより、取り外し可能に行われている。
【考案の開示】
【考案が解決しようとする課題】
【０００５】
しかしながら、従来の折りたたみ式旗竿については強度面から金属製部材を採用しており、このような金属製部材を用いたものについては大気下での使用により腐食するという課題がある。また、従来の折りたたみ式旗竿については、縦竿への横竿の固定が必ずしも容易でなく、横竿を確実に固定しようとすると別途工具が必要となったり、構造が複雑になり、製造性が低下したりするという課題がある。また、従来の折りたたみ式旗竿については、保管や持ち運びの際に縦竿と横竿とが別体となるものがあり、必ずしも保管や持ち運びが容易でなく、両者がばらばらになりやすいという課題がある。
【０００６】
本考案は上記したような課題を解決するためになされたものであって、大気下での使用により腐食しにくく、展開の際の縦竿への横竿の固定が容易で、非展開時に両者を一体とすることができ、さらに構造が簡単で製造が容易な折りたたみ式旗竿を提供することを目的としている。
【課題を解決するための手段】
【０００７】
本考案の折りたたみ式旗竿は、縦竿と横竿とからなり、前記縦竿の上端部に設けられた横竿固定部に前記横竿を固定して展開することにより用いられる折りたたみ式旗竿であって、前記横竿固定部および前記横竿が繊維強化プラスチックからなり、前記横竿の展開時に、前記横竿固定部と前記横竿との間のかしめ力によって前記横竿が固定されることを特徴とする。
【０００８】
また、本考案の折りたたみ式旗竿は、縦竿と横竿とからなり、前記縦竿の上端部に設けられた横竿固定部に前記横竿を固定して展開することにより用いられる折りたたみ式旗竿であって、前記横竿固定部および前記横竿が繊維強化プラスチックからなり、前記横竿は軸部と、前記軸部の一方の端部に設けられ、前記軸部よりも径大なかしめ用端部とを有し、前記横竿固定部は水平方向の貫通孔を有し、前記水平方向の貫通孔の一方の端部側が前記かしめ用端部と略同径またはそれよりも径大なかしめ用孔部となっており、他方の端部側が前記軸部と略同径またはそれよりも径大で、その上面側が半開されたかしめ用半開孔部となっており、前記横竿の展開時に、前記かしめ用孔部に前記かしめ用端部が挿入され、前記かしめ用半開孔部に前記軸部が配置され、それらの間のかしめ力によって前記横竿が固定されることを特徴とする。
【０００９】
本考案における前記横竿固定部は前記かしめ用端部と略同径またはそれよりも径大な鉛直方向の貫通孔を有し、前記鉛直方向の貫通孔に前記かしめ用端部および前記軸部が挿入されることにより、前記縦竿内に前記横竿が収納されることが好ましい。また、本考案における前記横竿は前記軸部の他方の端部に前記かしめ用端部よりも径大な収納時固定用端部を有し、前記横竿固定部の鉛直方向の貫通孔は前記収納時固定用端部よりも径小となっていることが好ましい。さらに、前記水平方向の貫通孔と前記鉛直方向の貫通孔とは前記横竿固定部内で略直交していることが好ましい。
【００１０】
また、本考案における前記横竿はガラス繊維と熱硬化性樹脂とからなるものであって、一方向押し出し成形により製造されたものであることが好ましい。
【考案の効果】
【００１１】
本考案によれば、折りたたみ式旗竿の横竿および横竿固定部を繊維強化プラスチックからなるものとし、横竿の展開時に横竿固定部と横竿との間のかしめ力によって横竿が固定されるものとすることで、強度が高く、耐久性に優れ、展開の際の縦竿への横竿の固定が容易で、かつ、構造が簡単で製造が容易な折りたたみ式旗竿を提供することができる。
【考案を実施するための最良の形態】
【００１２】
以下、本考案について図面を参照して詳細に説明する。
図１は本考案の折りたたみ式旗竿１の収納時（非展開時）の状態を示した外観図であり、図２はその一部を拡大して示した外観図である。図１、２に示すように、本考案の折りたたみ式旗竿１は縦竿２と横竿３とからなるものである。縦竿２は筒状の縦竿本体部４とその上端部に設けられた横竿固定部５とからなるものであり、横竿３は略円柱状のものであり、軸部３ａの一方の端部にかしめ用端部３ｂが設けられ、他方の端部に収納時固定用端部３ｃが設けられたものである。収納時、横竿３は収納時固定用端部３ｃを残して縦竿２内に収納される。
【００１３】
折りたたみ式旗竿１に取り付けられる旗６は、図１に示すように、例えば長方形状のものであり、その上端部および両側端部のうちの一方の側端部に縦竿２および横竿３を通して取り付けるための環状の取り付け部材６ａが設けられている。
【００１４】
このような折りたたみ式旗竿１は、図３に示すように、展開時に縦竿２の横竿固定部５の内部に横竿３のかしめ用端部３ｂ（図示せず）を挿入して、それらの間のかしめ力によって固定すると共に、縦竿２および横竿３を旗６の取り付け部材６ａに通すようにして旗６を取り付けることにより使用される。
【００１５】
次に、本考案の折りたたみ式旗竿１の要部である横竿３および横竿固定部５について詳細に説明する。図４は、横竿３を示した平面図である。既に説明したように、横竿３は軸部３ａの一方の端部にかしめ用端部３ｂが設けられ、他方の端部に収納時固定用端部３ｃが設けられたものである。
【００１６】
軸部３ａ、かしめ用端部３ｂ、収納時固定用端部３ｃのそれぞれの外径をＤ３ａ、Ｄ３ｂ、Ｄ３ｃとした場合、かしめ用端部３ｂの外径（Ｄ３ｂ）は軸部３ａの外径（Ｄ３ａ）よりも大きく形成されており（Ｄ３ｂ＞Ｄ３ａ）、収納時固定用端部３ｃの外径（Ｄ３ｃ）はかしめ用端部３ｂの外径（Ｄ３ｂ）よりも大きく形成されている（Ｄ３ｃ＞Ｄ３ｂ）。すなわち、軸部３ａ、かしめ用端部３ｂ、収納時固定用端部３ｃはこの順に外径が大きくなるように形成されている（Ｄ３ｃ＞Ｄ３ｂ＞Ｄ３ａ）。
【００１７】
横竿３の各部の外径をこのように調整することで、後述する横竿固定部５の各貫通孔の内径との関係において、収納時には縦竿２内部に横竿３を収納すると共に、横竿３が完全に没入することを防ぐことができ、展開時には横竿固定部５の内部において横竿３をそれらの間のかしめ力により適切に固定することができるようになる。
【００１８】
横竿３の軸部３ａの外径（Ｄ３ａ）は展開時の強度の確保、持ち運びの容易さ等の観点から、例えば２０ｍｍ以上、５０ｍｍ以下であることが好ましい。また、展開時の固定の確実性等の観点から、かしめ用端部３ｂの外径（Ｄ３ｂ）は軸部３ａの外径（Ｄ３ａ）よりも５ｍｍ以上大きいことが好ましく、また収納時の没入を有効に抑制する観点から、収納時固定用端部３ｃの外径（Ｄ３ｃ）はかしめ用端部３ｂの外径（Ｄ３ｂ）よりも５ｍｍ以上大きいことが好ましい。
【００１９】
図５は、横竿固定部５を示した外観図である。なお、図６は図５に示す横竿固定部５を上面５ａ側から見た上面図であり、図７は図６に示す横竿固定部５を側面側（図６中、下側）から見た側面図であり、図８は図６に示す横竿固定部５のＡ−Ａ断面図であり、図９は図６に示す横竿固定部５を側面側（図６中、右側）からみた側面図である。
【００２０】
横竿固定部５は、図５に示すように、例えば略円柱状のものであり、上面５ａ、下面５ｂおよび側面５ｃを有するものである。この横竿固定部５には、側面５ｃを貫通するように水平方向の貫通孔７が設けられている。この水平方向の貫通孔７は一方の端部がかしめ用孔部７ａとなっており、他方の端部が上面５ａ側が半開されたかしめ用半開孔部７ｂとなっている。これらかしめ用孔部７ａとかしめ用半開孔部７ｂとは、それぞれの中心軸が一致するように形成されている。
【００２１】
ここで、図９に示すように、かしめ用孔部７ａの内径をＤ７ａ、かしめ用半開孔部７ｂの内径をＤ７ｂとした場合、かしめ用孔部７ａの内径（Ｄ７ａ）は横竿３のかしめ用端部３ｂの外径（Ｄ３ｂ）と略同径またはそれよりも径大とされており（Ｄ７ａ≧Ｄ３ｂ）、かしめ用半開孔部７ｂの内径（Ｄ７ｂ）は横竿３の軸部３ａの外径（Ｄ３ａ）と略同径またはそれよりも径大とされている（Ｄ７ｂ≧Ｄ３ａ）。
【００２２】
このように横竿固定部５の水平方向の貫通孔７の各部の内径を横竿３の各部の外径に合わせたものとすることで、展開時に横竿固定部５の内部において横竿３をかしめ力により適切に固定することができる。
【００２３】
なお、上記かしめ用孔部７ａの内径（Ｄ７ａ）が横竿３のかしめ用端部３ｂの外径（Ｄ３ｂ）と略同径とは、かしめ用孔部７ａにかしめ用端部３ｂを抜き差しできる程度に径が同じであることをいう。かしめ用半開孔部７ｂの内径（Ｄ７ｂ）と横竿３の軸部３ａの外径（Ｄ３ａ）との関係についても同様である。
【００２４】
また、かしめ用孔部７ａの内径（Ｄ７ａ）をかしめ用端部３ｂの外径（Ｄ３ｂ）よりも径大とする場合には、それらの差が５ｍｍ以下となるようにすることが好ましく、かしめ用半開孔部７ｂの内径（Ｄ７ｂ）を横竿３の軸部３ａの外径（Ｄ３ａ）よりも径大とする場合には、それらの差が１ｍｍ以下となるようにすることが好ましい。内径と外径との差が上記数値を超えると、いずれの場合についても横竿３の固定が不安定となるため好ましくない。
【００２５】
ここで、かしめ用半開孔部７ｂの内径（Ｄ７ｂ）とはその底面付近（下面５ｂ側）の内径（水平方向の内径）のことであり、上面５ａ側についてはそれより大きくなっていても構わない。
【００２６】
さらに、横竿固定部５には、図５に示すように、上面５ａと下面５ｂとを貫通するように鉛直方向の貫通孔８が設けられている。この鉛直方向の貫通孔８は、横竿固定部５の内部において、水平方向の貫通孔７と略直交するように形成されている。この鉛直方向の貫通孔８は内径をＤ８とした場合（図７、８参照）、その内径（Ｄ８）が横竿３のかしめ用端部３ｂの外径（Ｄ３ｂ）と略同径またはそれよりも径大で、かつ、収納時固定用端部３ｃの外径（Ｄ３ｃ）よりも径小となるように形成されている（Ｄ３ｃ＞Ｄ８≧Ｄ３ｂ）。なお、図示しないが、横竿固定部５の下面５ｂ側には筒状の縦竿本体部４が接続され、横竿固定部５の鉛直方向の貫通孔８とは縦竿本体部４の孔部４ａとが連通するように構成される。
【００２７】
このように横竿固定部５の鉛直方向の貫通孔８の内径（Ｄ８）を横竿３のかしめ用端部３ｂの外径（Ｄ３ｂ）と略同径またはそれよりも径大とし、かつ、収納時固定用端部３ｃの外径（Ｄ３ｃ）よりも径小とすることで（Ｄ３ｃ＞Ｄ８≧Ｄ３ｂ）、収納時に縦竿２内部に横竿３の軸部３ａおよびかしめ用端部３ｂを収納できると共に、収納時固定用端部３ｃを鉛直方向の貫通孔８の上面５ａに引っかけて、横竿３の全体が縦竿２内に没入してしまうことを避けることができる。
【００２８】
次に、本考案の折りたたみ式旗竿１の具体的な使用方法について説明する。図１０は折りたたみ式旗竿１の収納時の状態を示した断面図である。横竿３はその軸部３ａおよびかしめ用端部３ｂが縦竿本体部４の孔部４ａおよび横竿固定部５の鉛直方向の貫通孔８に挿入されて収納されている。
【００２９】
このとき、上記したように横竿固定部５の鉛直方向の貫通孔８の内径（Ｄ８）は横竿３のかしめ用端部３ｂの外径（Ｄ３ｂ）と略同径またはそれよりも径大とされているため（Ｄ８≧Ｄ３ｂ）、横竿３のかしめ用端部３ｂは横竿固定部５の鉛直方向の貫通孔８を通過することができる。一方、鉛直方向の貫通孔８の内径（Ｄ８）は収納時固定用端部３ｃの外径（Ｄ３ｃ）よりも径小となるように形成されているため（Ｄ３ｃ＞Ｄ８）、横竿３の収納時固定用端部３ｃは横竿固定部５の上面５ａに引っかかり、横竿３の全体が縦竿２内に没入することが避けられる。
【００３０】
折りたたみ式旗竿１を展開する場合、図１１に示すように、縦竿本体部４および横竿固定部５から横竿３を上方向に引き抜いていき、横竿３のかしめ用端部３ｂが横竿固定部５の水平方向の貫通孔７と鉛直方向の貫通孔８との略直交部分に達したところで引き抜くのを止める。そして、図１２に示すように、かしめ用端部３ｂを中心として横竿３を回転させる。この際、かしめ用半開孔部７ｂは上面５ａ側が半開されているため、この半開されている部分に軸部３ａを通過させて横竿３を回転させることができる。
【００３１】
そして、図１３に示すように、かしめ用半開孔部７ｂの底面に軸部３ａが接触したら回転を止め、横竿３をかしめ用孔部７ａへ向けて水平方向に移動させ、図１４に示すように、かしめ用孔部７ａにかしめ用端部３ｂを挿入する。
【００３２】
この際、かしめ用孔部７ａの内径（Ｄ７ａ）がかしめ用端部３ｂの外径（Ｄ３ｂ）と略同径またはそれよりも径大とされ、かつ、かしめ用半開孔部７ｂの内径（Ｄ７ｂ）が軸部３ａの外径（Ｄ３ａ）と略同径またはそれよりも径大とされているため、かしめ用孔部７ａにかしめ用端部３ｂが嵌め合わされると共に、かしめ用半開孔部７ｂに軸部３ａが嵌め合わされる。
【００３３】
そして、このような状態で横竿３の収納時固定用端部３ｃ側に下方向の荷重が加わると、軸部３ａとかしめ用半開孔部７ｂとが接触するかしめ部２０において、軸部３ａがかしめ用半開孔部７ｂによって下方向から支持され、またかしめ用端部３ｂとかしめ用孔部７ａとが接触するかしめ部２１において、かしめ用端部３ｂがかしめ用孔部７ａによって外周を全体的に支持されると共に、特にかしめ用端部３ｂの外周のうち上面５ａ側がかしめ用孔部７ａの上面５ａ側の内面によって上方向から支持される。従って、これらかしめ部２０、２１におけるかしめ力によって、横竿３は横竿固定部５に確実に固定される。そして、展開された折りたたみ式旗竿１には、図３に示すように、旗６が取り付けられて使用される。
【００３４】
また、展開された折りたたみ式旗竿１を収納する場合には、上記したような展開工程と逆の工程とすればよい。すなわち、図１３に示すように、横竿固定部５から横竿３を水平方向に引き抜いていき、横竿３のかしめ用端部３ｂが横竿固定部５の水平方向の貫通孔７と鉛直方向の貫通孔８との略直交部分に達したところで引き抜くのを止める。
【００３５】
そして、図１２に示すようにかしめ用端部３ｂを中心として横竿３を回転させ、図１１に示すように鉛直方向の貫通孔８の中心軸と横竿３の中心軸とが一致したところで回転を止め、横竿３を下方向に移動させて軸部３ａおよびかしめ用端部３ｂを縦竿本体部４の孔部４ａおよび横竿固定部５の鉛直方向の貫通孔８に挿入して収納する。
【００３６】
このような折りたたみ式旗竿１に用いられる横竿３および横竿固定部５は、荷重が長時間かけられた場合に徐々に変形するクリープ現象が少ないものである必要があり、また腐食しにくいものである必要があることから、繊維強化プラスチックからなるものが好ましい。
【００３７】
具体的には、横竿３は例えばガラス繊維と熱硬化性樹脂とからなるものであって、一方向押し出し成形により製造されたものが好ましい。また、横竿固定部５は例えば不飽和ポリエステルとガラスチョップとを混練して得られるポリエステルプリミックス成形材料を加熱・加圧により成形したものが好ましい。本考案における縦竿２および横竿３は上記したような比較的簡単な構造を有するものであるため、従来の成形方法等を適用して容易に製造することができる。
【００３８】
以上、本考案について一例を挙げて説明したが本考案の趣旨に反しない限度において、かつ、必要に応じて、適宜その構成を変更することができる。例えば、横竿固定部５は上記したような水平方向の貫通孔７および鉛直方向の貫通孔８を有するものであればその外形は必ずしも上記したような円柱状に限定されるものではなく、四角柱状等であってもよい。また、その大きさも横竿３の軸部３ａおよびかしめ用端部３ｂを内部に嵌め込み固定できるような大きさであれば特に限定されるものではない。さらに、横竿３の軸方向の長さについても特に限定されるものではなく旗６の大きさ等に合わせて適宜変更することが可能であり、縦竿本体部４の軸方向の長さについても横竿３を収納できる程度の長さがあれば特に限定されるものではなく、横竿３の軸方向の長さ等に合わせて適宜変更することが可能である。
【図面の簡単な説明】
【００３９】
【図１】本考案の折りたたみ式旗竿の収納時の状態を示した平面図。
【図２】図１に示す折りたたみ式旗竿の一部を拡大して示した平面図。
【図３】本考案の折りたたみ式旗竿の展開時の状態を示した平面図。
【図４】横竿を示した平面図。
【図５】横竿固定部の外観図。
【図６】横竿固定部の上面図。
【図７】横竿固定部の側面図。
【図８】横竿固定部の断面図。
【図９】横竿固定部の側面図。
【図１０】折りたたみ式旗竿の使用方法を説明するための断面図。
【図１１】折りたたみ式旗竿の使用方法を説明するための断面図。
【図１２】折りたたみ式旗竿の使用方法を説明するための断面図。
【図１３】折りたたみ式旗竿の使用方法を説明するための断面図。
【図１４】折りたたみ式旗竿の使用方法を説明するための断面図。
【図１５】従来の旗竿の一例を示す分解図。
【図１６】図１５に示される旗竿の展開時の状態を示した平面図。
【図１７】従来の旗竿の他の例を示す分解図。
【図１８】図１７に示される旗竿の展開時の状態を示した平面図。
【符号の説明】
【００４０】
１…折りたたみ式旗竿、２…縦竿、３…横竿（３ａ…軸部、３ｂ…かしめ用端部、３ｃ…収納時固定用端部）、４…縦竿本体（４ａ…孔部）、５…横竿固定部（５ａ…上面、５ｂ…下面、５ｃ…側面）、６…旗、７…水平方向の貫通孔（７ａ…かしめ用孔部、７ｂ…かしめ用半開孔部）、８…鉛直方向の貫通孔。
【図１】
0003121099.tif 000003
【図２】
0003121099.tif 000004
【図３】
0003121099.tif 000005
【図４】
0003121099.tif 000006
【図５】
0003121099.tif 000007
【図６】
0003121099.tif 000008
【図７】
0003121099.tif 000009
【図８】
0003121099.tif 000010
【図９】
0003121099.tif 000011
【図１０】
0003121099.tif 000012
【図１１】
0003121099.tif 000013
【図１２】
0003121099.tif 000014
【図１３】
0003121099.tif 000015
【図１４】
0003121099.tif 000016
【図１５】
0003121099.tif 000017
【図１６】
0003121099.tif 000018
【図１７】
0003121099.tif 000019
【図１８】
0003121099.tif 000020